(57)【特許請求の範囲】
【請求項１】
エラストマーの拡張可能な容器であって、
圧力下で食用液体の導入ができ、前記拡張可能な容器を膨張させるよう適合された第一開口部と、
前記エラストマーの拡張可能な容器から伸び、また乳児の授乳に適合された乳首状突起部が設けられ、バルブ手段によって閉じられる第二開口部であって、前記バルブ手段は、乳児の、乳首状突起部を吸引しまたは押しつぶす、乳を飲む動作によって開かれる、前記乳首状突起部内に配置された、前記容器に向かって突出した逆向きの逆止弁であり、前記食用液体が加圧下で前記乳首突起部を通過して、前記乳首突起部の開口部の外に前記食用液体を流出させる前記第二開口部と、を有する、エラストマーの拡張可能な容器。
【請求項２】
バルーン状の構造を有する、請求項１に記載の、エラストマーの拡張可能な容器。
【請求項３】
前記液体は乳である、請求項１に記載のエラストマーの拡張可能な容器。
【請求項４】
前記液体は粉ミルクである、請求項１に記載のエラストマーの拡張可能な容器。
【請求項５】
前記エラストマーの拡張可能な容器を膨張および充填する圧力下での前記エラストマーの拡張可能な容器中への前記食用液体を導入するポンプを併用する、請求項２に記載のエラストマーの拡張可能な容器。
【請求項６】
使用後に使い捨てができる、請求項２に記載のエラストマーの拡張可能な容器。
【請求項７】
乳児または幼児用のための、殺菌された食用液体で、あらかじめ充填されたバルーン状エラストマーの膨張された容器であって、前記容器は、前記容器から伸び、授乳される乳児または幼児の授乳に適合された乳首状突起部を有し、バルブ手段によって閉じられる開口部を備え、前記バルブ手段は、前記授乳される乳児または幼児の、前記乳首状突起部を吸引して乳を飲む動作によって開かれる、前記乳首状突起部内に配置された、前記容器に向かって突出した逆向きの逆止弁である、バルーン状エラストマーの膨張された容器。
【請求項８】
エラストマーの拡張可能な容器を膨張させるポンプの圧力により、食用液体の導入ができるように適合された第一開口部と、
前記エラストマーの拡張可能な容器から伸び、前記食用液体を前記エラストマーの拡張可能な容器から吸引するよう適合された、乳首状突起部が設けられた、バルブ手段によって閉じられる第二開口部と、を有し、前記バルブ手段は、使用者の、前記乳首状突起部を吸引する、吸引動作によって開かれ、ポンプにより加圧され膨張された容器内の圧力により、前記食用液体を前記乳首状突起部を通して前記第二開口部から流出させる、前記乳首状突起部内に配置された、前記容器に向かって突出した逆向きの逆止弁であることを特徴とする、エラストマーの拡張可能な容器。
【発明の詳細な説明】
【技術分野】
【０００１】
本発明は、乳幼児授乳用のインフレータブル容器に関するものである。
【０００２】
さらに詳細には、本発明は、従来の形の乳首を含み、かつ中の液体が摂取されるときに空気が進入する必要のないものを提供する。
【背景技術】
【０００３】
現在、発案者に知られている全ての哺乳瓶は、硬質あるいは可塑性のある厚肉容器であり、乳幼児授乳用の取り外し可能な乳首とともに提供される。瓶の使用には、瓶を軸方向に少なくとも水平に、そして空に近くなると、乳首が下向きに、水平に対してある角度をなして保持される必要がある。液体の摂取時に空気が瓶に入ることができるよう、多少の調節が必要である。
【０００４】
授乳児は通常、瓶の栄養液の液体レベルの上に貯留した多少の空気を摂取し、そして授乳後、前述の空気を消化管から放出するために、乳児は抱き上げられて“ゲップさせられる”必要がある。
【０００５】
特許調査では、中に含まれた液体を加圧することにより薄肉容器の大きさが拡張する、本発明と直接に関連する開示は公開されていない。しかし、哺乳瓶に関する技術の現状は、下記の特許参照により、よく説明されている。
【０００６】
米国特許番号４，７５４，８８７で、Ｏｕは幼児が横になったまま、あるいは座ったまま中身の液体を吸引することができる目的の、縦長のピペットおよびバルブのあるパーティションボードが設けられた、パーティションボードを含む哺乳瓶を開示している。
【０００７】
Vincinguerraは米国特許番号４，８２６，１２６で、吸入バルブを有する哺乳瓶を開示している。バルブおよび乳首は、瓶の相対する端に完全に捻り固定することよって、保有される。
【０００８】
側面に空気入口バルブが設けられた哺乳瓶は、Wu らによって米国特許番号４，９２８，８３６に記載され、特許請求がなされている。空気感圧コンパートメントのバルブが、瓶の低い圧力のもとで開き、隔膜を動かす。
【０００９】
米国特許番号５，６０７，０７４でDe Gennaroによって記載および特許請求された哺乳瓶は、乳児が吸引するときに空気の入る余地がある、瓶内の圧力に対応する空気入口バルブを有している。
【００１０】
同様の目的が、米国特許番号５，７９１，５０３で、Ｌｙｏｎｓによって、瓶の先と乳首の間に部分的にシールできるチェックバルブを使用することにより達成されている。
【００１１】
特許番号ＤＥ１００２９７１１は、膨張が可能な哺乳瓶本体用の絶縁カバーを記載している。しかしそこで使用される瓶は、拡張できるものではない。
【００１２】
多くのインフレータブル哺乳瓶が様々な製造者から商業市販されているが、これらは機能的なものではなく、道化師、役者や一般的な娯楽用に意図されたものであり、本発明の趣旨と連結することは全くない。
【００１３】
先行技術の哺乳瓶はすべて、空気が進入できるようになっているが、その方法は大きく異なる。従来の哺乳瓶は、食用液によって使用されるものと同じ乳首の口を通って、空気が進入する。乳児が摂取する際、瓶内の多少の空気が腹中に入ることにより不快感を引き起こし、乳児は上体を起こして抱き上げられ、優しくしかし繰り返し背中を叩いて、進入した空気を放出させられる必要がある。
【００１４】
さらに、従来の哺乳瓶の乳首は、食用液体が乳首に入るよう、水平または水平近くにされる必要がある。食用液体がほとんど摂取された後は、瓶は乳首が下向きにされる必要がある。
【００１５】
したがって、本発明の一つの目的は、先行技術の哺乳瓶の不利点を取り除き、中に含まれた加圧された液体によって膨張する容器を提供することである。
【００１６】
本発明のさらなる目的は、いかなる位置でも使用されることが可能な哺乳瓶を提供することである。
【００１７】
またさらに目的は、空気入口バルブを除外、および、乳児の“ゲップ”の必要性を大幅に減少させるため、哺乳瓶内の大量の空気を排除することである。
【発明の開示】
【発明が解決しようとする課題】
【００１８】
本発明は、膨張する圧力下で食用液体の導入ができるよう適合された第一開口部、および、前記容器から伸び、また乳児の授乳に適合された乳首状突起部が設けられた第二開口部、バルブ方法によって閉じられる前記第二開口部、および、膨張された容器の圧力下で、前記乳首を通過して開口部の外に液体を流出できる、乳児の自然な授乳動作によって開閉される前記バルブ方法を有する、エラストマーの拡張可能な容器を提供することにより、上記の目的を達成する。
【００１９】
本発明の好適な実施例で、膨張する圧力下で食用液体の導入ができるよう適合された第一開口部、および、前記容器から伸び、また乳児の授乳に適合された乳首状突起部が設けられた第二開口部、バルブ方法によって閉じられる前記第二開口部、乳児の自然な授乳動作によって開閉される前記バルブ方法を有する、バルーン状のエラストマーインフレータブル容器が提供される。
【００２０】
本発明の好適な実施例で、前記第二バルブは、少なくとも二つの相互にかみ合う要素から構成され、その前記要素の少なくとも一つは、前記乳首状突起部に面しまた中でシールされた口径、前記要素の間に位置しおよび前記口径から前記乳首に貫通した、液体が一部充填された空気圧式または油圧の作動方法、空気圧式または油圧で前記二つの要素に液体を分け、および膨張された容器の加圧下で前記乳首を通過してその開口部の外に液体を流出させるように、乳首上の授乳による吸引動作が前記作動方法内の液体を移動するような配置が備わった、バルーン状のエラストマーインフレータブル容器が提供される。
【００２１】
本発明の他の好適な実施例で、前記バルブ方法は、二つの相互にかみ合う要素から構成され、その前記要素の少なくとも一つは前記乳首状突起部に面する口径を有し、空気圧式または油圧で前記二つの要素に液体を分け、および膨張された容器の加圧下で前記乳首を通過してその開口部の外に液体を流出させるように、乳首上の授乳による吸引動作が前記口径をシールする要素の圧力を減少させる、バルーン状のエラストマーインフレータブル容器が提供される。
【００２２】
本発明で、前記第一開口部は、中に一方向型の第一バルブを含むことにより、圧力下で食用液体が導入できるよう適合され、および、したがって容器を膨張する圧力下で食用液体を導入させることができる。
【００２３】
さらに本発明の好適な実施例で、前記液体は乳である、バルーン状のエラストマーインフレータブル容器が提供される。
【００２４】
さらに本発明の好適な実施例で、膨張および充填する圧力下での前記容器へ前記液体の導入にポンプ方法を併用した、バルーン状のエラストマーインフレータブル容器が提供される。
【００２５】
またさらに本発明の好適な実施例で、使用後に使い捨てが可能なバルーン状のエラストマーインフレータブル容器が提供される。
【００２６】
本発明の他の好適な実施例で、前記容器は殺菌された幼児用食用飲料であらかじめ充填された、使い捨てのバルーン状のエラストマーインフレータブル容器が提供される。
【００２７】
本発明の他の好適な実施例で、前記液体は乳幼児用粉ミルクである、バルーン状のエラストマーインフレータブル容器が提供される。
【発明の効果】
【００２８】
したがって、本発明の新奇な装置は、従来の哺乳瓶に優る多くの利点があることが理解されるであろう。
ａ）食用液体が摂取されるとき、容器の中に空気を進入させる必要がない。
ｂ）容器の膨張による食用液体への圧力が、乳児の吸引をより容易にする。
ｃ）使用中、容器がどのような方向に位置することも可能である。
ｄ）ほとんどの実施例の容器は、折りたたんだ状態で運搬または保管が可能である。
ｅ）軽量で薄壁の容器であるため、材料やコストを削減できる。
ｆ）本発明のいくつかの実施例は、主に乳首の先端を吸引する乳児用に提供され、一方、他の実施例は主として乳首の元を吸引する乳児用により良く、提供される。
【００２９】
上記に列挙された（ａ）から（ｅ）の利点により、本発明の容器は本文中にある乳児の授乳のみならず、例として、宇宙飛行士、常体での方法で液体を飲むことができない病人や患者などの摂取用の容器として使用されることができる。
【００３０】
したがって、また本発明により、膨張する圧力下での食用液体の導入に適合された第一開口部、および、前記容器から伸び、また前記食用液体を前記容器から吸引するよう適合された、乳首状突起部が設けられた第二開口部、バルブ方法によって閉じられる前記第二開口部、および、膨張された容器の圧力下で液体が前記乳首を通ってその開口部から流出される、使用者の吸引動作によって開閉される前記バルブ方法を有する、エラストマーの拡張可能な容器が提供される。
【発明を実施するための最良の形態】
【００３１】
図１には、好ましくは例えば天然ゴムなどのゴムで作製された、バルーン状のエラストマーの膨張された容器１０が示されている。
【００３２】
容器１０は、一方向型で容器が膨張する加圧下で食用液体１６を導入できる、第一バルブ１４を含む第一開口部１２を有する。第一バルブ１４は図２に詳細が示される。
【００３３】
食用液体１６は水、加糖水溶液、乳、粉ミルク、または果汁など、幼児の年齢および趣向によるものであることが可能である。第一バルブ１４は外部の液体圧力によって開けられ、またそのような圧力がかからなくなると、スプリング１８によって閉じられる。
【００３４】
第二開口部２０は、容器から伸びて乳児の授乳に適合される従来の乳首上突起部２２を保持する。第二開口部２０は、乳児の自然な授乳行為により間接的に作動する第二バルブ２４によって、固く閉じられる。
【００３５】
バルブは追随する図で、より詳細に説明される。
【００３６】
残りの図に関して、類似の参照番号は類似する部分を特定するために使用されている。
【００３７】
図２は、容器１０の充填ができる第一（入口）バルブ１４の、図１をより効果的に示した、大きい拡大図である。加圧された授乳液体の源は、例として図６に示されるように、ねじ止めされることにより入口ポート２８に保持される。流入する液体がＵ字型の板３０およびプランジャ３２を圧迫し、次にそれらは下方に移動して、液体１６を容器１０に進入させる、第一開口部１２に挿入された開口３４を、液体１６が通過できるようにする。
【００３８】
外部圧力がなくなると、圧縮スプリング１８は開口３４を再びシールするよう、プランジャ３２を移動させる。
【００３９】
容器末端部４０と入口のねじ止め枠４２の間に、柔軟性シールワッシャ３８が示されている。
【００４０】
次に図３および図４には、インフレータブル容器１０に接着された第二（出口）バルブ２６が、図１より良く示されている。
【００４１】
本実施例は、バルブ２６を開くのに、乳児の咬合動作を利用する。
【００４２】
バルブ２６は二つの相互にかみ合う要素４４および４６から構成される。図では、上部要素４４は可動のフラップで下方に偏向しており、および左先端が蝶番になっている。下部要素４６は固定され、通常は上部フラップ４４によって開口４８の端に接する付近までシールされている、開口４８が備わっている。
【００４３】
シールされ、液体が一部充填された柔軟性の空気圧式アクチュエーター５０の第一部分５１は、二つの相互にかみ合う要素４４と４６の間に配置される。アクチュエーター５０の第二部分５２は乳首２２の中に伸びている。配置は、図４に示される曲解された乳首２２ａ上の乳児の授乳による吸引動作が、作動方式５０内の液体を二つの要素４４、４６に分け、アクチュエーターの第一部５１が図３のたたまれた状態から図４の膨らんだ状態５１ａになる、というものである。これによって液体１６は膨張された容器１０の圧力下で乳首２２、２２ａを通って乳首口５４から流出することが可能になる。
【００４４】
図３に示されるように、アクチュエーター５０の機械的圧力がないとき、および第一部４８が平らな楕円のときに、上部平面は通常の閉じた状態になる。
【００４５】
アクチュエーター５２は、好ましくは、少量の空気または不活性ガスを残して水４９が充填される。ガスの量は、外部の圧力がかからない場合にバルブ２６が閉じることができるのに充分なくらいの量である。したがって乳児が乳首２２の圧力を緩めると、要素間に配置されたアクチュエーターの部分は閉じられた要素の間で押圧され、元の平面楕円形に戻る。
【００４６】
ライトスプリング（図示せず）は、図３に示されるように、バルブを確実に閉鎖するために選択的に追加されることが可能である。
【００４７】
次に図５を参照すると、図１に示される膨張された容器１０に第二（出口）バルブが付着された第二の実施例６２が示されている。バルブ６２は、二つのかみ合う要素５６、５８から構成され、その下部要素５８は乳首状の突起部２２に面する開口６０が設けられている。
【００４８】
乳児の授乳による乳首２２上の吸引動作は、要素５６を押し上げ、および液体１６が膨張された容器１０の圧力下で乳首２２を通って乳首口５４に流入させるように、あらかじめ口径６０をシールした要素５６の上面の圧力を緩める。
【００４９】
乳首２２での吸引動作がそれ以上行われなくなると、ライトスプリング６３は上部要素５６を再設置する。
【００５０】
図１のバルーン状のエラストマーインフレータブル容器１０が、再び図６に示される。
【００５１】
入口ポート６８と液体で連結するじょうご６６を有する小さいプラスチックポンプ６４は、液体１６を、容器１０を膨張および充填する圧力下で、容器１０に進入させる。
【００５２】
ポンプ６４は小モーター７０による電動であることが好ましい。電流は、膨張圧が設計レベルに達したときにモーターの動力を遮断する、圧力スイッチ７２を通って、モーター７０に適用される。
【００５３】
じょうご６６の容量は、通常２５０ｃｃから４００ｃｃである容器１０とおよそ同じであると効果的である。
【００５４】
ポンプ６４の出力端子７４は容器１０の第一バルブ１４に、チューブ７６を使用して接続されるのが示されている。液体１２を保持し容器１０からの漏液を防止するため、揚水が休止すると第一バルブ１４は閉じる。その後、チューブ７６は使用者によって切断される。
【００５５】
さて図７に移ると、幼児用の殺菌された食用液体１６があらかじめ充填された、使い捨てのバルーン状のエラストマーインフレータブル容器７８が示されている。使い捨て容器７８には、第一バルブの必要がなく、設けられていない。第一開口部１２は、容器７８が充填および膨張された後、製造工場で密閉および永久的にシールされる。
【００５６】
図８は哺乳瓶の追加的な実施例８０を示す。内部には、容器が空のときに互いに面して接触する一対のワッシャ８４を含む、一般的な円筒型の伸縮性容器８２が図示されている。入口部分８６は、入口８６が閉じられた後、圧縮されたばかりの容器８２の充填およびシールをできるようにする。出口８８は乳首９０の終端であり、柔軟性のある、乳首９４の中で通常は閉じられたバルブ９２によって、シールされている。バルブ９２は円錐形で、および容器８２に面する前記円錐の頂点９５を有する、三つの切片９３に分けられている。乳児が歯茎を乳首上で閉じたときに生じる、または乳児の吸引動作かつ／また乳首上での乳児の歯茎または唇の圧力の結果として横向きに圧縮されると、バルブ９２が開く。加圧された容器８２は、中身の液体を乳首の開口９６から外に退出させ、および乳児がバルブ９２の圧力を開放するまで、流出を継続させる。
【００５７】
図８の容器は、ワッシャ８４を拡散させて前記容器の充填を促進する充填スタンド（図示せず）と連結して使用されることが可能である。
【００５８】
さて図９、図１０および図１１を参照すると、追加的実施例のバルブ部分が図示されている。
【００５９】
複数の開口１００は一端が板１０８の陥凹部１０２に、もう一端が図１に示されるバルーン状のエラストマーの膨張された容器１０に接続される。開口１００は通常、長方形形状のエラストマーカバー１０４で覆われる。図１０に示されるように、膨張圧力が開口の口に対しカバー１０４を保持するため、開口１００を通る流出は生じない。乳児または幼児によって、さらに吸引１０５が適用された場合、カバー１０４はさらに中央の穴１０６に沈み込んだときに歪曲された１０４ａになり、および、ゆえに開口１００が加圧された液体１０６を容器１０内に保持できるようになる。次に液体は開口１００を通って陥凹部１０２の中に、中央の穴１０６を通って乳首基部１１１に流出１０９し、乳首１１０を通過して乳首口１１２の外に出て行く。
【００６０】
エラストマーカバー１０４は複数の留め具１１４によって位置を保持されることが示される。
【００６１】
本発明は前述で説明された実施例を制限されるものでないこと、および、本発明はその精神または本質的な特性から逸脱しない他の特定の形状で実施されうることが、同業者に明らかであろう。本発明の実施例はゆえに、説明された全ての点において限定的なものではなく考慮され、したがって前述の説明のみならず追随する特許請求によって指示される本発明の範囲、および特許請求と同等の意味および範囲内のすべての変更は、受け入れられるものであることを意味する。
【図面の簡単な説明】
【００６２】
本発明はここで、より十分に理解されるよう、追随する説明図の参照と共に特定の実施例と連結して説明される。
【００６３】
ここでの図の詳細の特定な参照は、実施例を手段とすることにより、また本発明の好適な実施例が例証する考察の目的のみのため、および、もっとも有用で容易に理解される、本発明の原理および概念的見地の説明であるとみられるものを提供するために、詳細が示され提示されることが強調される。この点において、本発明の基本的な理解のために必要なものより詳細な本発明の構造細部は示されないものとし、図の説明は本発明のいかに多数の形が実施されうるかを同業者に明らかにする。
【００６４】
【図１】本発明による容器の好適な実施例の、詳細でない概略図である。
【図２】図１の容器に付着された充填ポートの大きな拡大図である。
【図３】同じく図１に示された容器に付着された、閉じられた液体操作の出口バルブの断面図である。
【図４】図３と同様のバルブの、開いている状態の図である。
【図５】出口バルブの第二の実施例の断面図である。
【図６】空の容器に再装填できる配備の概略図である。
【図７】使い捨て容器の好適な実施例の、詳細でない概略図である。
【図８】ほぼ円筒形の実施例の、部分断面立面図である。
【図９】さらなる実施例の、液体授乳時の乳児が乳首を吸引した結果の、断面図である。
【図１０】図９と同様であるが、吸引動作による流出がない場合の図である。
【図１１】図９に示される実施例の先端図である。
【符号の説明】
【００６５】
１０．容器
１２．第一開口部
１４．第一バルブ
１６．食用液体
１８．スプリング
２０．第二開口部
２２．乳首状突起部
２２ａ．乳首
２４．第二バルブ
２６．バルブ
２８．入口ポート
３０．Ｕ字型板
３２．プランジャ
３４．開口
３８．シールワッシャ
４０．容器末端部
４２．枠
４４．（かみ合う）上部要素
４６．（かみ合う）下部要素
４８．開口
４９．水
５０．空気圧式アクチュエーター
５１．（アクチュエーターの）第一部分
５１ａ．（アクチュエーターの）第一部分の膨らんだ状態
５２．（アクチュエーターの）第二部分
５４．乳首口
５６．（かみ合う）上部要素
５８．（かみ合う）下部要素
６０．開口
６２．バルブ
６３．ライトスプリング
６４．プラスチックポンプ
６６．じょうご
６８．入口ポート
７０．（小）モーター
７２．圧力スイッチ
７４．出力端子
７６．チューブ
７８．使い捨て容器
８０．追加的実施例
８２．円筒型の伸縮性容器
８４．ワッシャ
８６．入口
８８．出口
９０．乳首
９２．バルブ
９３．三つの切片
９４．乳首
９５．頂点
９６．開口
１００．開口
１０２．陥凹部
１０４．エラストマーカバー
１０４ａ．歪曲したカバー
１０５．吸引
１０６．中央の穴
１０８．板
１０９．流出
１１０．乳首
１１１．乳首基部
１１２．乳首口
１１４．留め具
【図１】
0005413883.tif 000002
【図２】
0005413883.tif 000003
【図３】
0005413883.tif 000004
【図４】
0005413883.tif 000005
【図５】
0005413883.tif 000006
【図６】
0005413883.tif 000007
【図７】
0005413883.tif 000008
【図８】
0005413883.tif 000009
【図９】
0005413883.tif 000010
【図１０】
0005413883.tif 000011
【図１１】
0005413883.tif 000012